(57)【要約】【課題】純水を生成する機構を含む水質分析装置全体の設置スペースを小さくする。【解決手段】ＴＮ／ＴＰ計測部２と有機汚濁物質測定部であるＵＶ計４を備えた水質分析装置１には、純水供給機構としてＴＮ／ＴＰ計測部２用の純水を生成するイオン交換樹脂を充填した精製器８と、ＵＶ計４用の純水を生成する活性炭フィルタ１０が備え付けられている。タンク６には精製器８からイオン交換水が自動供給されて溜められ、ＴＮ／ＴＰ計測部２へは二方弁２４が開けられてタンク６からＴＮ／ＴＰ計測部２に純水が供給される。ＵＶ計４で測定を行なう時になると、二方弁２０が開けられ、三方弁２２がＵＶ計４に切り替えられて、ＵＶ計４に純水が連続して供給される。【選択図】  図１
2005003464.tif 000002
【特許請求の範囲】
【請求項１】
試料水中の全窒素、全リン及び有機汚濁物質をともに測定できる水質分析装置において、
この水質分析装置で使用する純水を供給する純水供給機構は、全窒素及び全リンの測定に使用する純水を生成するためのイオン交換樹脂を備えた第１の生成装置と、有機汚濁物質の測定に使用する純水を生成するための活性炭フィルタを備えた第２の生成装置とを備え、かつ、この純水供給機構はこの水質分析装置に備え付けられていることを特徴とする水質分析装置。
【請求項２】
前記純水供給機構は第１の生成装置により生成したイオン交換水を溜めるタンクを備えて全窒素測定部及び全リン測定部には前記タンクから純水が供給されるように流路が構成され、有機汚濁物質測定部には第２の生成装置から純水が直接供給されるように流路が構成されている請求項１に記載の水質分析装置。
【請求項３】
前記タンクから全窒素測定部及び全リン測定部への純水の供給は手動にても行ないうるようになっている請求項２に記載の水質分析装置。
【請求項４】
前記純水供給機構における流路は、両生成装置からそれぞれの測定部に純水が直接供給されるように構成されている請求項１に記載の水質分析装置。
【発明の詳細な説明】
【０００１】
【発明の属する技術分野】
本発明は、試料水中の全窒素（ＴＮ）、全リン（ＴＰ）及び有機汚濁物質をともに測定できる水質分析装置に関し、特にそこで使用する純水の供給機構を改良した水質分析装置に関するものである。
【０００２】
【従来の技術】
我が国においては水中のＢＯＤ（生物化学的酸素要求量）成分やＣＯＤ  （化学的酸素要求量）成分などの有機汚濁物質、窒素化合物、リン化合物を測定する方法は、ＪＩＳのＫ０１０２環境庁告示１４０号によって公的に規格化されている。
【０００３】
１つの方法では、窒素化合物は硝酸イオンに変換した後、ＰＨを２〜３に調整し波長２２０ｎｍでの紫外線吸光度を測定することにより計測する。
リン化合物はリン酸イオンに変換した後、発色剤としてモリブテン酸アンモニウム溶液とＬ−アスコルビン酸溶液を添加して発色させ、波長８８０ｎｍでの吸光度を測定することにより計測する。
【０００４】
有機汚濁物質の計測については、ＵＶ（紫外線吸光度）計、ＴＯＣ（全有機体炭素）計、ＢＯＤ計、ＣＯＤ計などが公定法として採用されている。その中でもＵＶ計は構成の簡素さにより最も普及している。
これらの測定方法又はその他の測定方法を組み合わせて、試料水中の全窒素、全リン及び有機汚濁物質を１台の測定装置でともに測定できる水質分析装置が提案され、使用されている（特許文献１，２参照。）。
【０００５】
そのような水質分析装置においては、ゼロレベルを求めるためのブランク測定用水として、ｐＨの調整用水として、又は流路やセルを洗浄するための洗浄水として純水を用いている。
従来は、全窒素測定部、全リン測定部及び有機汚濁物質測定部に純水を自動供給するために、イオン交換樹脂による精製器を共通に使用している。
【０００６】
図２はそのような水質分析装置における純水の供給経路を示した概略構成図である。１８はイオン交換樹脂を充填した精製器であり、水道水を精製して純水としてのイオン交換水を得るものである。２０は精製器１８への水道水の供給を制御する二方弁である。精製器１８で生成されたイオン交換水は三方弁２２でＴＮ／ＴＰ計測部（全窒素測定部と全リン測定部を含んだもの）２又は有機汚濁物質測定部であるＵＶ計４に切り替えて供給される。ＴＮ／ＴＰ計測部２側に供給されたイオン交換水はいったんタンク６に溜められた後、二方弁２４を介してＴＮ／ＴＰ計測部２に供給される。
【０００７】
【特許文献１】
特開２０００−２６６６７７号公報
【特許文献２】
特開２００１−５６３３２号公報
【０００８】
【発明が解決しようとする課題】
ＵＶ計４での測定に使用する純水は連続で流水するため、大量に供給する必要がある。そのため、イオン交換樹脂を充填した精製器１８の容量を大きくせざるを得ない。精製器１８の容量の容量が大きくなると、水質分析装置１ａに内蔵することが困難になり、別置きにせざるを得ないので、別途設置スペースが必要となる。
そこで本発明は、純水を生成する機構を小型にして純水を生成する機構を含む水質分析装置全体の設置スペースを小さくすることを目的とするものである。
【０００９】
【課題を解決するための手段】
有機汚濁物質測定用のＵＶ測定に使用する純水としては、有機物が除去されておればよく、イオン交換水である必要がなく、活性炭を通して精製した純水で十分であることがわかっている。そのため、全窒素、全リン測定に使用する純水は小容量のイオン交換樹脂で対応することとした。
【００１０】
本発明の水質分析装置は、試料水中の全窒素、全リン及び有機汚濁物質をともに測定できる水質分析装置であって、この水質分析装置で使用する純水を供給する純水供給機構は、全窒素及び全リンの測定に使用する純水を生成するためのイオン交換樹脂を備えた第１の生成装置と、有機汚濁物質の測定に使用する純水を生成するための活性炭フィルタを備えた第２の生成装置とを備え、かつ、この純水供給機構はこの水質分析装置に備え付けられていることを特徴とするものである。
イオン交換樹脂を備えた第１の生成装置は容量が小さくなり、純水供給機構が水質分析装置に備え付けられる程度に、第１の生成装置が小型になっていることを意味する。
【００１１】
純水供給機構は第１の生成装置により生成したイオン交換水を溜めるタンクを備えて全窒素測定部及び全リン測定部にはそのタンクから純水が供給されるように流路を構成し、有機汚濁物質測定部には第２の生成装置から純水が直接供給されるように流路を構成してもよい。
また、そのタンクから全窒素測定部及び全リン測定部への純水の供給は手動にても行ないうるようにしてもよい。
さらに、純水供給機構における流路は、両生成装置からそれぞれの測定部に純水が直接供給されるように構成してもよい。
【００１２】
【発明の実施の形態】
図１は一実施例を示す概略構成図である。
ＴＮ／ＴＰ計測部２と有機汚濁物質測定部であるＵＶ計４を備えた水質分析装置１には、純水供給機構としてＴＮ／ＴＰ計測部２用の純水を生成するイオン交換樹脂を充填した精製器８と、ＵＶ計４用の純水を生成する活性炭フィルタ１０が備え付けられている。
【００１３】
水質分析装置１に純水のもとになる水道水を供給するために配管に二方弁２０が設けられている。二方弁２０は水道水を水質分析装置１内に供給するときに開き、供給しないときは閉じておくものである。二方弁２０を介して取り込まれた水道水は、三方弁２２によりＴＮ／ＴＰ計測部２側とＵＶ計４側に切り替えられるように流路が構成されている。三方弁２２はＴＮ／ＴＰ計測部２側がＮＯ（常開）、ＵＶ計４側がＮＣ（常閉）である。
【００１４】
ＵＶ計４側の流路には三方弁２２を経て水質分析装置１内に導入された水道水を精製して純水にする活性炭フィルタ１０が配置されている。ＵＶ計４によるブランク測定時は、ＵＶ計４には常時純水を供給しておく必要があるため、活性炭フィルタ１０の下流とＵＶ計４は流路で直接接続されている。
【００１５】
ＴＮ／ＴＰ計測部２側の流路には三方弁２２を経て水質分析装置１内に導入された水道水を精製して純水であるイオン交換水にする精製器８が配置されている。精製器８にはイオン交換樹脂が充填されている。精製器８の下流には精製器８で生成されたイオン交換水を溜めるためのタンク６が設けられており、タンク６とＴＮ／ＴＰ計測部２の間には純水の供給を制御する二方弁２４が設けられている。タンク６にはレベルセンサが設けられており、タンク６に溜まっている純水の量がわかるようになっている。
二方弁２０，２４及び三方弁２２はいずれも電磁弁であり、この水質分析装置１の動作を制御する制御部（図示略）からの指令により、自動的に切り替えられる。
【００１６】
ＴＮ／ＴＰ計測部２に供給される純水は、外部から取り込んだ水道水を精製器８のイオン交換樹脂に通して精製したイオン交換水であり、ＵＶ計４に供給される純水は水道水を活性炭フィルタ１０に通したものである。
精製器８は、図２の従来装置に設けられたものと比較して、水質分析装置１に備え付けることができる程度に容量が小さくなり、小型になっている。
【００１７】
この水質分析装置において、タンク６には精製器８からイオン交換水が自動供給されて溜められ、ＴＮ／ＴＰ計測部２へは二方弁２４が開けられてタンク６からＴＮ／ＴＰ計測部２に純水が供給される。タンク６に設けられたレベルセンサが純水の水位を感知しており、タンク６内の純水が減少してきて一定レベル以下になったときに二方弁２０が開けられる。三方弁２２はＴＮ／ＴＰ計測部２側がＮＯ（常開）であるので、精製器８からタンク６へ純水が自動供給され、レベルセンサがタンク６の満水を感知したときに二方弁２０が閉じられてタンク６への純水の供給が停止する。
ＵＶ計４で測定を行なう時になると、二方弁２０が開けられ、三方弁２２がＵＶ計４に切り替えられて、ＵＶ計４に純水が連続して供給される。
【００１８】
実施例では二方弁２０，２４及び三方弁２２はいずれも自動制御されるようになっているが、これらの弁の開閉又は切替えを手動で行なうようにしてもよい。また、精製器８からの純水をタンク６を設けないで精製器８で生成したイオン交換水を二方弁２４を介して直接供給するようにしてもよい。この場合、精製器８の容量としてＴＮ／ＴＰ計測部２で使用するイオン交換水直接供給できるだけの大きさが求められるが、従来のようにＵＶ計４で使用する純水を供給するための容量に比べると小さいものであり、水質分析装置１に備え付けることのできるものである。
【００１９】
【発明の効果】
本発明の水質分析装置では、全窒素測定部及び全リン測定部にはイオン交換樹脂を通して精製したイオン交換水を供給し、有機汚濁物質測定部には活性炭フィルタを通して精製した純水を供給するようにしたので、イオン交換樹脂の容量を従来のものより小さくすることができ、純水供給のための別置きの設置スペースを設ける必要がなくなる。
また、容量の小さいイオン交換樹脂と活性炭フィルタを使用するので、水質分析装置を安価に構成して市場に提供することができる。
【００２０】
全窒素測定部及び全リン測定部への純水供給機構と有機汚濁物質測定部への純水供給機構を個々に独立させたので、全窒素測定部及び全リン測定部への純水供給を自動供給でなく手動で供給するようにするなど、多様なニーズに対応することができるようになる。
【図面の簡単な説明】
【図１】一実施例を示す概略構成図である。
【図２】従来の水質分析装置を示す概略構成図である。
【符号の説明】
１      水質分析装置
２      ＴＮ／ＴＰ計測部
４      ＵＶ計
６      タンク
８      イオン交換樹脂を備えた精製器
１０      活性炭フィルタ
２０，２２．２４      弁
【図１】
2005003464.tif 000003
【図２】
2005003464.tif 000004